(57)【要約】  本発明は、Ｄｕａｌ Ｃｏｎｎｅｃｔｉｖｉｔｙにおいてアップリンクデータを効率的に送信するための技術を提供するために、複数の基地局と同時通信するＤｕａｌ Ｃｏｎｎｅｃｔｉｖｉｔｙ機能を有するユーザ装置において、ＲＬＣエンティティ制御部が、ＲＬＣバッファに格納された各パケットの滞留時間を計時するＲＬＣ破棄タイマを有し、ＲＬＣエンティティ制御部が、ＲＬＣ破棄タイマが満了した滞留パケットをＲＬＣバッファから破棄し、滞留パケットを他の基地局宛てのパケットとしてＲＬＣバッファに再送するようＰＤＣＰレイヤ処理部に通知し、ＰＤＣＰレイヤ処理部から再送された滞留パケットを他の基地局に対応するＲＬＣエンティティから送信するものである。
2015141478.tif 000002
【特許請求の範囲】
【請求項１】
複数の基地局と同時通信するＤｕａｌ  Ｃｏｎｎｅｃｔｉｖｉｔｙ機能を有するユーザ装置であって、  送信対象のアップリンクデータから、前記複数の基地局の各基地局に送信されるパケットシーケンスを生成するＰＤＣＰ（Ｐａｃｋｅｔ  Ｄａｔａ  Ｃｏｎｖｅｒｇｅｎｃｅ  Ｐｒｏｔｏｃｏｌ）レイヤ処理部と、  前記生成されたパケットシーケンスを前記複数の基地局に送信するＲＬＣ（Ｒａｄｉｏ  Ｌｉｎｋ  Ｃｏｎｔｒｏｌ）レイヤ処理部と、を有し、前記ＲＬＣレイヤ処理部は、  前記ＰＤＣＰレイヤ処理部から送信された前記複数の基地局の各基地局宛のパケットを格納するＲＬＣバッファと、  前記複数の基地局の各基地局に対応して設けられ、前記ＲＬＣバッファに格納されたパケットを対応する基地局に送信するＲＬＣエンティティと、  前記ＲＬＣバッファ及び前記ＲＬＣエンティティを制御するＲＬＣエンティティ制御部と、を有し、  前記ＲＬＣエンティティ制御部は、前記ＲＬＣバッファに格納された各パケットの滞留時間を計時するＲＬＣ破棄タイマを有し、  前記ＲＬＣエンティティ制御部は、前記ＲＬＣ破棄タイマが満了した滞留パケットを前記ＲＬＣバッファから破棄し、前記滞留パケットを他の基地局宛てのパケットとして前記ＲＬＣバッファに再送するよう前記ＰＤＣＰレイヤ処理部に通知し、前記ＰＤＣＰレイヤ処理部から再送された滞留パケットを前記他の基地局に対応するＲＬＣエンティティから送信するユーザ装置。
【請求項２】
前記ＰＤＣＰレイヤ処理部は、前記送信対象のアップリンクデータを前記複数の基地局に分割送信するための分割比率を受信し、前記分割比率に従って前記複数の基地局の各基地局に送信されるパケットシーケンスを生成する、請求項１記載のユーザ装置。
【請求項３】
前記ＲＬＣエンティティ制御部は、各パケットが前記ＲＬＣバッファに格納されると前記ＲＬＣ破棄タイマを起動し、前記パケットの少なくとも一部が送信されると前記ＲＬＣ破棄タイマを停止する、請求項１又は２記載のユーザ装置。
【請求項４】
前記ＰＤＣＰレイヤ処理部は、該ＰＤＣＰレイヤ処理部に保持されるパケットを破棄するためのＰＤＣＰ破棄タイマを有し、  前記ＲＬＣエンティティ制御部は、前記ＰＤＣＰ破棄タイマが満了したパケットについて、該パケットに対応する前記ＲＬＣ破棄タイマを停止する、請求項１乃至３何れか一項記載のユーザ装置。
【請求項５】
前記ＲＬＣエンティティ制御部は、ベアラ種別又は論理チャネル種別に応じて前記ＲＬＣ破棄タイマの満了時間を設定する、請求項１乃至４何れか一項記載のユーザ装置。
【請求項６】
前記ＲＬＣエンティティ制御部は、前記複数の基地局からＲＲＣ（Ｒａｄｉｏ  Ｒｅｓｏｕｒｃｅ  Ｃｏｎｔｒｏｌ）により通知された時間に前記ＲＬＣ破棄タイマの満了時間を設定する、請求項１乃至４何れか一項記載のユーザ装置。
【請求項７】
前記複数の基地局が３つ以上の基地局を含む場合、前記ＰＤＣＰレイヤ処理部は、前記複数の基地局のインデックスの降順又は昇順、前記複数の基地局により設定されたセルグループのインデックスの降順又は昇順、及び前記複数の基地局と当該ユーザ装置との間の通信の通信品質又は平均スループットの何れかを含む所定の選択基準に従って前記滞留パケットを再送する基地局を選択する、請求項１乃至６何れか一項記載のユーザ装置。
【請求項８】
前記他の基地局に対応するＲＬＣエンティティは、前記ＰＤＣＰレイヤ処理部から再送された滞留パケットを優先的に送信する、請求項１乃至７何れか一項記載のユーザ装置。
【請求項９】
前記ＲＬＣレイヤ処理部は、前記ＲＬＣバッファから前記滞留パケットを破棄し、前記ＰＤＣＰレイヤ処理部から再送された滞留パケットを受信すると、各ＲＬＣエンティティにおけるデータ滞留量が変化したことを通知するＢＳＲ（Ｂｕｆｆｅｒ  Ｓｔａｔｕｓ  Ｒｅｐｏｒｔ）を前記複数の基地局に通知する、請求項１乃至８何れか一項記載のユーザ装置。
【請求項１０】
複数の基地局と同時通信するＤｕａｌ  Ｃｏｎｎｅｃｔｉｖｉｔｙ機能を有するユーザ装置におけるアップリンクデータ送信方法であって、  ＰＤＣＰ（Ｐａｃｋｅｔ  Ｄａｔａ  Ｃｏｎｖｅｒｇｅｎｃｅ  Ｐｒｏｔｏｃｏｌ）レイヤ処理部が、送信対象のアップリンクデータから、前記複数の基地局の各基地局に送信されるパケットシーケンスを生成し、ＲＬＣ（Ｒａｄｉｏ  Ｌｉｎｋ  Ｃｏｎｔｒｏｌ）レイヤ処理部に前記生成されたパケットシーケンスを送信するステップと、  前記パケットシーケンスの各パケットがＲＬＣバッファに格納されると、前記ＲＬＣレイヤ処理部が、該パケットの滞留時間を計時するＲＬＣ破棄タイマを起動するステップと、  前記ＲＬＣレイヤ処理部が、前記ＲＬＣ破棄タイマが満了した滞留パケットを前記ＲＬＣバッファにおいて検出するステップと、  前記ＲＬＣレイヤ処理部が、前記滞留パケットを前記ＲＬＣバッファから破棄し、前記滞留パケットを他の基地局宛てのパケットとして前記ＲＬＣバッファに再送するよう前記ＰＤＣＰレイヤ処理部に通知するステップと、  前記ＰＤＣＰレイヤ処理部が、前記通知された滞留パケットを前記他の基地局宛てのパケットとして前記ＲＬＣバッファに再送するステップと、  前記ＲＬＣレイヤ処理部が、前記再送された滞留パケットを前記他の基地局に送信するステップと、を有するアップリンクデータ送信方法。
【発明の詳細な説明】
【技術分野】
【０００１】  本発明は、無線通信システムに関する。
【背景技術】
【０００２】  現在、３ＧＰＰ（３ｒｄ  Ｇｅｎｅｒａｔｉｏｎ  Ｐａｒｔｎｅｒｓｈｉｐ  Ｐｒｏｊｅｃｔ）は、ＬＴＥ（Ｌｏｎｇ  Ｔｅｒｍ  Ｅｖｏｌｕｔｉｏｎ）の次世代の通信規格として、ＬＴＥ−Ａｄｖａｎｃｅｄの高機能化を図る仕様策定を進めている。ＬＴＥ−Ａｄｖａｎｃｅｄシステムでは、ＬＴＥシステムとのバックワードコンパチビリティを確保しつつ、ＬＴＥシステムを上回るスループットを実現するため、キャリアアグリゲーション（Ｃａｒｒｉｅｒ  Ａｇｇｒｅｇａｔｉｏｎ：ＣＡ）技術が導入される。キャリアアグリゲーションでは、ＬＴＥシステムによりサポートされている２０ＭＨｚの最大帯域幅を有するコンポーネントキャリア（Ｃｏｍｐｏｎｅｎｔ  Ｃａｒｒｉｅｒ：ＣＣ）が基本コンポーネントとして利用され、これら複数のコンポーネントキャリアを同時に用いることによって、より広帯域な通信を実現することが図られている。【０００３】  キャリアアグリゲーションでは、ユーザ装置（Ｕｓｅｒ  Ｅｑｕｉｐｍｅｎｔ：ＵＥ）は、複数のコンポーネントキャリアを同時に用いて基地局（ｅｖｏｌｖｅｄ  ＮｏｄｅＢ：ｅＮＢ）と通信することが可能である。キャリアアグリゲーションでは、ユーザ装置との接続性を担保する信頼性の高いプライマリセル（Ｐｒｉｍａｒｙ  Ｃｅｌｌ：ＰＣｅｌｌ）と、プライマリセルに接続中のユーザ装置に追加的に設定されるセカンダリセル（Ｓｅｃｏｎｄａｒｙ  Ｃｅｌｌ：ＳＣｅｌｌ）とが設定される。【０００４】  プライマリセルは、ＬＴＥシステムのサービングセルと同様のセルであり、ユーザ装置とネットワークとの間の接続性を担保するためのセルである。他方、セカンダリセルは、プライマリセルに追加されてユーザ装置に設定されるセルである。セカンダリセルの追加及び削除は、ＲＲＣ（Ｒａｄｉｏ  Ｒｅｓｏｕｒｃｅ  Ｃｏｎｔｒｏｌ）のコンフィギュレーション（Ｃｏｎｆｉｇｕｒａｔｉｏｎ）により実行される。【０００５】  ＬＴＥ  Ｒｅｌｅａｓｅ  １０（Ｒｅｌ−１０）までのキャリアアグリゲーションでは、図１の左図に示されるように、ユーザ装置が同一の基地局により提供される複数のコンポーネントキャリアを用いて同時通信することが規定されている。一方、Ｒｅｌ−１２では、Ｒｅｌ−１０のキャリアアグリゲーションがさらに拡張され、図１の右図に示されるように、ユーザ装置が複数の基地局により提供される複数のコンポーネントキャリアを用いて同時通信するＤｕａｌ  Ｃｏｎｎｅｃｔｉｖｉｔｙが検討されている。例えば、全てのコンポーネントキャリアを単一の基地局内に収容できない場合、Ｒｅｌ−１０と同程度のスループットを実現するためには、Ｄｕａｌ  Ｃｏｎｎｅｃｔｉｖｉｔｙが効果的に利用されると考えられる。【０００６】  Ｄｕａｌ  Ｃｏｎｎｅｃｔｉｖｉｔｙでは、図２に示されるように、ユーザ装置（ＵＥ）は、１つのＥＰＳ（Ｅｖｏｌｖｅｄ  Ｐａｃｋｅｔ  Ｓｙｓｔｅｍ）ベアラ又はパケットシーケンスを所定の方法により分割し、分割された各パケットシーケンスを複数の基地局（ｅＮＢ＃１，ｅＮＢ＃２）によって提供されたコンポーネントキャリアを用いて同時送信するベアラスプリット（Ｂｅａｒｅｒ  Ｓｐｌｉｔｔｉｎｇ）が検討されている。具体的には、図示さ��るように、ユーザ装置は、送信対象のＥＰＳベアラを特定の比率（図示された例では、ｅＮＢ＃１：ｅＮＢ＃２＝４：３）でｅＮＢ＃１及びｅＮＢ＃２宛てのパケットシーケンスに分割し、分割した各パケットシーケンスをそれぞれコンポーネントキャリアＣＣ＃１，ＣＣ＃２により基地局ｅＮＢ＃１，ｅＮＢ＃２に送信する。ＣＣ＃２を介し分割されたパケットシーケンスを受信すると、非アンカーノード基地局であるｅＮＢ＃２は、受信したパケットシーケンスをアンカー基地局であるｅＮＢ＃１に転送する。ｅＮＢ＃２から転送されたパケットシーケンスを受信すると、ｅＮＢ＃１は、ＣＣ＃１を介し受信したパケットシーケンスと、ｅＮＢ＃２から受信したパケットシーケンスとをリオーダリングすることによってユーザ装置からのパケットシーケンスを再構成し、再構成したパケットシーケンスをコアノード（ＣＮ）に転送する。
【先行技術文献】
【非特許文献】
【０００７】
【非特許文献１】3GPP TR36.842 "Study on Small Cell enhancements for E-UTRA and E-UTRAN; Higher layer aspects"
【発明の概要】
【発明が解決しようとする課題】
【０００８】  アップリンクデータのベアラスプリットを実行する際のパケットの割り振り方法について、アップリンクデータを各コンポーネントキャリア又はセルグループ（ＣＧ）に割り振るデータ量の比率（図２の例では、ｅＮＢ＃１：ｅＮＢ＃２＝４：３）をセミスタティックに設定する方法が提案されている。【０００９】  しかしながら、提案されたセミスタティックなデータ量比率設定方法では、データ量の比率が適切に設定されなかった場合、アップリンクのスループットを向上させることができない可能性がある。例えば、通信品質の劣化により、あるセルが割り振られたデータを送信するのに十分なスループットを実現できない場合、送信対象のアップリンクデータを保持する送信バッファにおいて、当該セルに割り振られたデータが滞留することになる。【００１０】  上記問題点に鑑み、本発明の１つの課題は、Ｄｕａｌ  Ｃｏｎｎｅｃｔｉｖｉｔｙにおいてアップリンクデータを効率的に送信するための技術を提供することである。
【課題を解決するための手段】
【００１１】  上記課題を解決するため、本発明の一態様は、複数の基地局と同時通信するＤｕａｌ  Ｃｏｎｎｅｃｔｉｖｉｔｙ機能を有するユーザ装置であって、送信対象のアップリンクデータから、前記複数の基地局の各基地局に送信されるパケットシーケンスを生成するＰＤＣＰ（Ｐａｃｋｅｔ  Ｄａｔａ  Ｃｏｎｖｅｒｇｅｎｃｅ  Ｐｒｏｔｏｃｏｌ）レイヤ処理部と、前記生成されたパケットシーケンスを前記複数の基地局に送信するＲＬＣ（Ｒａｄｉｏ  Ｌｉｎｋ  Ｃｏｎｔｒｏｌ）レイヤ処理部とを有し、前記ＲＬＣレイヤ処理部は、前記ＰＤＣＰレイヤ処理部から送信された前記複数の基地局の各基地局宛のパケットを格納するＲＬＣバッファと、前記複数の基地局の各基地局に対応して設けられ、前記ＲＬＣバッファに格納されたパケットを対応する基地局に送信するＲＬＣエンティティと、前記ＲＬＣバッファ及び前記ＲＬＣエンティティを制御するＲＬＣエンティティ制御部とを有し、前記ＲＬＣエンティティ制御部は、前記ＲＬＣバッファに格納された各パケットの滞留時間を計時するＲＬＣ破棄タイマを有し、前記ＲＬＣエンティティ制御部は、前記ＲＬＣ破棄タイマが満了した滞留パケットを前記ＲＬＣバッファから破棄し、前記滞留パケットを他の基地局宛てのパケットとして前記ＲＬＣバッファに再送するよう前記ＰＤＣＰレイヤ処理部に通知し、前記ＰＤＣＰレイヤ処理部から再送された滞留パケットを前記他の基地局に対応するＲＬＣエンティティから送信するユーザ装置に関する。【００１２】  本発明の他の態様は、複数の基地局と同時通信するＤｕａｌ  Ｃｏｎｎｅｃｔｉｖｉｔｙ機能を有するユーザ装置におけるアップリンクデータ送信方法であって、ＰＤＣＰ（Ｐａｃｋｅｔ  Ｄａｔａ  Ｃｏｎｖｅｒｇｅｎｃｅ  Ｐｒｏｔｏｃｏｌ）レイヤ処理部が、送信対象のアップリンクデータから、前記複数の基地局の各基地局に送信されるパケットシーケンスを生成し、ＲＬＣ（Ｒａｄｉｏ  Ｌｉｎｋ  Ｃｏｎｔｒｏｌ）バッファに前記生成されたパケットシーケンスを送信するステップと、前記パケットシーケンスの各パケットが前記ＲＬＣバッファに格納されると、ＲＬＣレイヤ処理部が、該パケットの滞留時間を計時するＲＬＣ破棄タイマを起動するステップと、前記ＲＬＣレイヤ処理部が、前記ＲＬＣ破棄タイマが満了した滞留パケットを前記ＲＬＣバッファにおいて検出するステップと、前記ＲＬＣレイヤ処理部が、前記滞留パケットを前記ＲＬＣバッファから破棄し、前記滞留パケットを他の基地局宛てのパケットとして前記ＲＬＣバッファに再送するよう前記ＰＤＣＰレイヤ処理部に通知するステップと、前記ＰＤＣＰレイヤ処理部が、前記通知された滞留パケットを前記他の基地局宛てのパケットとして前記ＲＬＣバッファに再送するステップと、前記ＲＬＣレイヤ処理部が、前記再送された滞留パケットを前記他の基地局に送信するステップとを有するアップリンクデータ送信方法に関する。
【発明の効果】
【００１３】  本発明によると、Ｄｕａｌ  Ｃｏｎｎｅｃｔｉｖｉｔｙにおいてアップリンクデータを効率的に送信するための技術を提供することができる。
【図面の簡単な説明】
【００１４】
【図１】図１は、キャリアアグリゲーションを示す概略図である。
【図２】図２は、Ｄｕａｌ  Ｃｏｎｎｅｃｔｉｖｉｔｙにおけるベアラスプリットを示す概略図である。
【図３】図３は、本発明の一実施例による無線通信システムを示す概略図である。
【図４】図４は、本発明の一実施例によるユーザ装置の構成を示すブロック図である。
【図５】図５は、本発明の一実施例によるアップリンクデータ送信処理を示す概略図である。
【図６】図６は、本発明の一実施例によるアップリンクデータ送信処理を示すシーケンス図である。
【発明を実施するための形態】
【００１５】  以下、図面に基づいて本発明の実施の形態を説明する。
【００１６】  複数の基地局と同時通信するＤｕａｌ  Ｃｏｎｎｅｃｔｉｖｉｔｙ機能を有するユーザ装置が開示される。後述される実施例を概略すると、ユーザ装置のＰＤＣＰレイヤ処理部が、送信対象のアップリンクデータから、各基地局に送信されるパケットシーケンスを生成し、ＲＬＣレイヤ処理部に生成されたパケットシーケンスを送信する。ユーザ装置のＲＬＣレイヤ処理部は、ＰＤＣＰレイヤ処理部から提供された各パケットがＲＬＣバッファに格納されると、当該パケットの滞留時間を計時するＲＬＣ破棄タイマを起動する。その後、ＲＬＣレイヤ処理部は、ＲＬＣバッファに格納された各パケットを当該パケットの送信先の基地局に送信する一方、ある基地局との間に発生した送信遅延のためＲＬＣバッファに所定時間以上滞留し、ＲＬＣ破棄タイマが満了したパケットを検出すると、検出した滞留パケットをＲＬＣバッファから破棄すると共に、当該滞留パケットを他の基地局宛に送信することを試みる。このため、ＲＬＣレイヤ処理部は、滞留パケットを他の基地局宛てのパケットとして再送するようＰＤＣＰレイヤ処理部に通知する。当該通知を受信すると、ＰＤＣＰレイヤ処理部は、通知された滞留パケットを他の基地局宛てのパケットとして再送し、ＲＬＣレイヤ処理部は、再送された滞留パケットを他の基地局に送信する。
【００１７】  これにより、送信対象のパケットを複数の基地局に割り振るための比率をセミスタティックに設定する方法において、何れかの基地局との通信に遅延が発生しても、所定の時間以上の送信遅延が発生したパケットを迅速に他の基地局を介し送信することが可能になる。
【００１８】  尚、ＲＬＣ破棄タイマ満了時には、ＲＬＣレイヤで自律で破棄を行ってもよいし、ＰＤＣＰレイヤへの通知を行った後、ＰＤＣＰレイヤからの指示を以て破棄を行ってもよい。
【００１９】  図３を参照して、本発明の一実施例による無線通信システムを説明する。図３は、本発明の一実施例による無線通信システムを示す概略図である。
【００２０】  図３に示されるように、無線通信システム１０は、ユーザ装置１００及び基地局２００Ａ，２００Ｂを有する。無線通信システム１０は、ユーザ装置１００が複数の基地局２００Ａ，２００Ｂにより提供されるコンポーネントキャリアＣＣ＃１，ＣＣ＃２を用いて同時通信するＤｕａｌ  Ｃｏｎｎｅｃｔｉｖｉｔｙをサポートし、図示されるように、ユーザ装置１００は、Ｄｕａｌ  Ｃｏｎｎｅｃｔｉｖｉｔｙ機能を利用して、マスタ基地局（ＭｅＮＢ）２００Ａとセカンダリ基地局（ＳｅＮＢ）２００Ｂとの間で通信する。図示された実施例では、２つの基地局２００Ａ，２００Ｂしか示されていないが、一般には、無線通信システム１００のサービスエリアをカバーするよう多数の基地局２００が配置される。
【００２１】  ユーザ装置１００は、複数の基地局２００Ａ，２００Ｂと同時通信するＤｕａｌ  Ｃｏｎｎｅｃｔｉｖｉｔｙ機能を有する。典型的には、ユーザ装置１００は、図示されるように、スマートフォン、携帯電話、タブレット、モバイルルータなどの無線通信機能を備えた何れか適切な情報処理装置であってもよい。ユーザ装置１００は、プロセッサなどのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）やフラッシュメモリなどのメモリ装置、基地局２００Ａ，２００Ｂとの間で無線信号を送受信するための無線通信装置などから構成される。例えば、後述されるユーザ装置１００の各機能及び処理は、メモリ装置に格納されているデータやプログラムをＣＰＵが処理又は実行することによって実現されてもよい。しかしながら、ユーザ装置１００は、上述したハードウェア構成に限定されず、後述する処理の１以上を実現する回路などにより構成されてもよい。
【００２２】  基地局２００Ａ，２００Ｂ（以降、基地局２００として総称されてもよい）は、ユーザ装置１００と無線接続することによって、コアネットワーク（図示せず）上に通信接続された上位局やサーバなどのネットワーク装置から受信したダウンリンク（ＤＬ）パケットをユーザ装置１００に送信すると共に、ユーザ装置１００から受信したアップリンク（ＵＬ）パケットをネットワーク装置に送信する。図示された実施例では、基地局２００Ａがマスタ基地局（ＭｅＮＢ）又はプライマリ基地局として機能し、基地局２００Ｂがセカンダリ基地局（ＳｅＮＢ）として機能する。Ｄｕａｌ  Ｃｏｎｎｅｃｔｉｖｉｔｙでは、マスタ基地局２００Ａが、ユーザ装置１００と基地局２００Ａ，２００Ｂとの間のＤｕａｌ  Ｃｏｎｎｅｃｔｉｖｉｔｙによる同時通信を制御すると共に、上位のコアネットワーク（図示せず）との間の通信を制御する。
【００２３】  Ｄｕａｌ  Ｃｏｎｎｅｃｔｉｖｉｔｙでは、マスタ基地局２００Ａは、セカンダリ基地局２００ＢのセカンダリセルＣＣ＃２をユーザ装置１００に対して設定し、プライマリセルＣＣ＃１及びセカンダリセルＣＣ＃２を介し受信されたアップリンクデータをコアネットワークに転送する。具体的には、ユーザ装置１００は、所定の分割方法に従ってアップリンクデータを２つのパケットシーケンスに分割し、分割した各パケットシーケンスをそれぞれＣＣ＃１及びＣＣ＃２を介しマスタ基地局２００Ａ及びセカンダリ基地局２００Ｂに送信する。ユーザ装置１００から分割されたパケットシーケンスを受信すると、セカンダリ基地局２００Ｂは、受信したパケットシーケンスをマスタ基地局２００Ａに転送する。転送されたパケットシーケンスを受信すると、マスタ基地局２００Ａは、セカンダリ基地局２００Ｂから受信したパケットと、ユーザ装置１００からＣＣ＃１を介し受信したパケットとに対してリオーダリング処理を実行することによってパケットシーケンスを再構成し、再構成されたパケットシーケンスをコアネットワークに転送する。
【００２４】  次に、図４を参照して、本発明の一実施例によるユーザ装置を説明する。図４は、本発明の一実施例によるユーザ装置の構成を示すブロック図である。
【００２５】  図４に示されるように、ユーザ装置１００は、ＰＤＣＰレイヤ処理部１１０及びＲＬＣレイヤ処理部１２０を有する。また、ＲＬＣレイヤ処理部１２０は、ＲＬＣバッファ１２１、複数の基地局２００の各基地局２００に対応して設けられるＲＬＣエンティティ１２２＿１，１２２＿２，...（以降において、ＲＬＣエンティティ１２２と総称してもよい）及びＲＬＣエンティティ制御部１２３を有する。
【００２６】  ＰＤＣＰレイヤ処理部１１０は、送信対象のアップリンクデータから、複数の基地局２００Ａ，２００Ｂの各基地局２００に送信されるパケットシーケンスを生成する。具体的には、図５の左上図に示されるように、ＰＤＣＰレイヤ処理部１１０は、上位レイヤから送信対象のＰＤＣＰ  ＳＤＵ（Ｓｅｒｖｉｃｅ  Ｄａｔａ  Ｕｎｉｔ）を受信し、受信したＰＤＣＰ  ＳＤＵをＰＤＣＰ  ＰＤＵ（Ｐｒｏｔｏｃｏｌ  Ｄａｔａ  Ｕｎｉｔ）に変換する。ＰＤＣＰレイヤ処理部１１０は、生成されたＰＤＣＰ  ＰＤＵを所定の分割方法に従って、マスタ基地局（ＭｅＮＢ）２００Ａ宛てのパケットと、セカンダリ基地局（ＳｅＮＢ）２００Ｂ宛てのパケットとしてＲＬＣレイヤ処理部１２０に送信する。
【００２７】  一実施例では、ＰＤＣＰレイヤ処理部１１０は、送信対象のアップリンクデータを複数の基地局２００に分割送信（ベアラスプリット）するための分割比率を受信し、受信した分割比率に従って各基地局２００に送信されるパケットシーケンスを生成してもよい。例えば、当該分割比率は、マスタ基地局２００Ａから通知されてもよい。図５の左上図に示されるように、当該分割比率は、例えば、マスタ基地局２００Ａ：セカンダリ基地局２００Ｂ＝１：１に設定されてもよい。この場合、ＰＤＣＰレイヤ処理部１１０は、奇数のシーケンス番号（ＳＮ）を有するＰＤＣＰ  ＰＤＵをマスタ基地局２００Ａ宛てのパケットとして、偶数のシーケンス番号（ＳＮ）を有するＰＤＣＰ  ＰＤＵをセカンダリ基地局２００Ｂ宛てのパケットとしてＲＬＣレイヤ処理部１２０に送信してもよい。しかしながら、本発明はこれに限定されず、他の何れか適切な分割比率が適用されてもよい。
【００２８】  また、ＰＤＣＰレイヤ処理部１１０は、ＰＤＣＰレイヤ処理部１１０に保持されるパケットを破棄するためのＰＤＣＰ破棄タイマ（ＰＤＣＰ  Ｄｉｓｃａｒｄ  Ｔｉｍｅｒ）を有してもよい。ＰＤＣＰレイヤ処理部１１０は、ＰＤＣＰ  ＰＤＵをＲＬＣレイヤ処理部１２０に送信した後も所定の期間は、以降の再送のために送信済みのＰＤＣＰ  ＰＤＵをバッファ（図示せず）に保持する。各ＰＤＣＰ  ＰＤＵに対して設定されたＰＤＣＰ破棄タイマが満了し、当該所定の期間が経過すると、ＰＤＣＰレイヤ処理部１１０は、当該ＰＤＣＰ  ＰＤＵを破棄するようにしてもよい。
【００２９】  ＲＬＣレイヤ処理部１２０は、ＰＤＣＰレイヤ処理部１１０により生成されたパケットシーケンスを複数の基地局２００に送信する。一実施例では、ＲＬＣレイヤ処理部１２０は、ＰＤＣＰレイヤ処理部１１０から送信された複数の基地局２００の各基地局２００宛のパケットを格納するＲＬＣバッファ１２１、複数の基地局２００の各基地局２００に対応して設けられ、ＲＬＣバッファ１２１に格納されたパケットを対応する基地局２００に送信するＲＬＣエンティティ１２２＿１，１２２＿２，...（以降、ＲＬＣエンティティ１２２と総称してもよい）、並びにＲＬＣバッファ１２１及びＲＬＣエンティティ１２２を制御するＲＬＣエンティティ制御部１２３を有する。
【００３０】  例えば、ＲＬＣレイヤ処理部１２０は、ＰＤＣＰレイヤ処理部１１０からＰＤＣＰ  ＰＤＵを受信し、受信したＰＤＣＰ  ＰＤＵをＲＬＣバッファ１２１に格納する。図５の左上図に示されるように、マスタ基地局２００Ａに対応するＲＬＣエンティティ１２２＿１（ＲＬＣ（ＭｅＮＢ））とセカンダリ基地局２００Ｂに対応するＲＬＣエンティティ１２２＿２（ＲＬＣ（ＳｅＮＢ））とは、対応する基地局２００Ａ，２００Ｂにより送信用の無線リソース又はトランスポートブロック（ＴＢ）が割り当てられると、ＲＬＣバッファ１２１から対応する基地局宛のＰＤＣＰ  ＰＤＵを抽出する。その後、ＲＬＣエンティティ１２２＿１，１２２＿２はそれぞれ、抽出したＰＤＣＰ  ＰＤＵをＲＬＣ  ＰＤＵに変換し、生成したＲＬＣ  ＰＤＵを割り当てられた無線リソース又はトランスポートブロックにマッピングすることによって、対応する基地局２００Ａ，２００Ｂに送信する。
【００３１】  一方、通信品質の劣化などによりＲＬＣエンティティ１２２から基地局２００へのパケットの送信が滞ると、図５の右上図に示されるように、ＲＬＣエンティティ１２２は、対応する基地局２００への送信用の無線リソース又はトランスポートブロックの割り当てが遅延又は停止することになり、ＲＬＣエンティティ１２２におけるＲＬＣ  ＰＤＵの生成もまた遅延又は停止することになる。ＲＬＣ  ＰＤＵの生成が遅延又は停止されると、ＲＬＣバッファ１２１に格納された当該基地局宛のＰＤＣＰ  ＰＤＵが滞留することになる。このため、ＲＬＣレイヤ処理部１２０がＰＤＣＰレイヤ処理部１１０から当該基地局宛のＰＤＣＰ  ＰＤＵを受信しても、受信したＰＤＣＰ  ＰＤＵは基地局２００に送信されず、ＲＬＣバッファ１２１に滞留することになり、送信対象のアップリンクデータの送信が遅延するだけでなく、ＲＬＣバッファ１２１がオーバフローするおそれもある。
【００３２】  このようなＲＬＣバッファ１２１におけるパケットの滞留時間を管理するため、ＲＬＣエンティティ制御部１２３は、ＲＬＣバッファ１２１に格納されたパケットシーケンスの各パケットの滞留時間を計時するＲＬＣ破棄タイマ（ＲＬＣ  Ｄｉｓｃａｒｄ  Ｔｉｍｅｒ）を有する。上述した送信遅延又はオーバフローを回避するため、ＲＬＣエンティティ制御部１２３は、ＲＬＣ破棄タイマが満了した滞留パケットをＲＬＣバッファ１２１から破棄し、当該滞留パケットを他の基地局宛てのパケットとしてＲＬＣバッファ１２１に再送するようＰＤＣＰレイヤ処理部１１０に通知し、ＰＤＣＰレイヤ処理部１１０から再送された滞留パケットを他の基地局に対応するＲＬＣエンティティ１２２から送信する。例えば、図５の左下図に示されるように、ＲＬＣバッファ１２１に格納されているセカンダリ基地局２００Ｂ宛てのパケットのＲＬＣ破棄タイマが満了すると、ＲＬＣエンティティ制御部１２３は、当該パケットをＲＬＣバッファ１２１から破棄し、マスタ基地局２００Ａから送信するため、当該滞留パケットをマスタ基地局２００Ａ宛てのパケットとして再送するようＰＤＣＰレイヤ処理部１１０に通知する。当該再送通知を受信すると、ＰＤＣＰレイヤ処理部１１０は、通知されたＰＤＣＰ  ＰＤＵをマスタ基地局２００Ａ宛てのパケットとしてＲＬＣレイヤ処理部１２０に送信し、ＲＬＣエンティティ１２２＿１は、再送されたＰＤＣＰ  ＰＤＵをマスタ基地局２００Ａに送信する。これにより、ＲＬＣレイヤ処理部１２０は、通信状態の劣化などのため、ある基地局２００への送信が遅延しているパケットを他の基地局２００を介し送信することによって、アップリンクデータの送信遅延を効果的に抑制することが可能である。一実施例では、マスタ基地局２００Ａに対応するＲＬＣエンティティ１２２＿１は、ＰＤＣＰレイヤ処理部１１０から再送されたパケットを優先的に送信してもよい。これにより、マスタ基地局２００Ａは、セカンダリ基地局２００Ｂから転送されてこない滞留パケットを迅速に受信することが可能となり、欠落している当該滞留パケットを待機することにより遅延していたリオーダリング処理を早期に再開することが可能になる。なお、図５の具体例では、セカンダリ基地局２００Ｂに送信遅延が発生しているが、本発明はこれに限定されず、マスタ基地局２００Ａに送信遅延が発生しているケースにも同様に適用可能である。
【００３３】  一実施例では、ＲＬＣエンティティ制御部１２３は、各パケットがＲＬＣバッファ１２１に格納されるとＲＬＣ破棄タイマを起動し、パケットの少なくとも一部が送信されるとＲＬＣ破棄タイマを停止してもよい。具体的には、ＲＬＣエンティティ制御部１２３は、ＲＬＣ  ＰＤＵの少なくとも一部が送信用のトランスポートブロックにマッピングされるとＲＬＣ破棄タイマを停止してもよい。
【００３４】  また、一実施例では、ＲＬＣエンティティ制御部１２３は、パケットのベアラ種別又は論理チャネル種別に応じてＲＬＣ破棄タイマの満了時間を設定してもよい。例えば、大きな送信遅延が許容されないベアラ種別又は論理チャネルについては、ＲＬＣ破棄タイマの満了時間は相対的に短い時間に設定されてもよい。他方、ある程度の遅延が許容されるベアラ種別又は論理チャネルについては、ＲＬＣ破棄タイマの満了時間は相対的に長い時間に設定されてもよい。また、他の実施例では、ＲＬＣエンティティ制御部１２３は、複数の基地局２００からＲＲＣにより通知された時間にＲＬＣ破棄タイマの満了時間を設定してもよい。例えば、ＲＬＣ破棄タイマの満了時間は、マスタ基地局２００ＡからのＲＲＣメッセージにより通知されてもよい。なお、ＲＬＣエンティティ制御部１２３は、ＰＤＣＰ破棄タイマが満了したパケットについて、当該パケットに対応するＲＬＣ破棄タイマを停止してもよい。すなわち、ＰＤＣＰ破棄タイマが満了したパケットは、ＰＤＣＰレイヤ処理部１１０において破棄される。このため、ＲＬＣエンティティ制御部１２３は、ＲＬＣ破棄タイマの計時を継続しても、当該滞留パケットをＰＤＣＰレイヤ処理部１１０に再送させることはできず、不要なＲＬＣ破棄タイマの計時を回避するためにＲＬＣ破棄タイマを停止してもよい。
【００３５】  一実施例では、３つ以上の基地局２００がＤｕａｌ  Ｃｏｎｎｅｃｔｉｖｉｔｙにおいてユーザ装置１００に設定されている場合、ＰＤＣＰレイヤ処理部１１０は、これらの基地局２００のインデックスの降順又は昇順、基地局２００により設定されたセルグループのインデックスの降順又は昇順、及び各基地局２００とユーザ装置１００との間の通信の通信品質又は平均スループットの何れかを含む所定の選択基準に従って滞留パケットを再送する基地局２００を選択してもよい。
【００３６】  また、一実施例では、ＲＬＣレイヤ処理部１２０は、ＲＬＣバッファ１２１から滞留パケットを破棄し、ＰＤＣＰレイヤ処理部１１０から再送された滞留パケットを受信すると、各ＲＬＣエンティティ１２２におけるデータの滞留量が変化したことを通知するＢＳＲ（Ｂｕｆｆｅｒ  Ｓｔａｔｕｓ  Ｒｅｐｏｒｔ）を複数の基地局２００に通知してもよい。
【００３７】  なお、上述した実施例では、１つのＲＬＣバッファ１２１が、各ＲＬＣエンティティ１２２により共有されているが、本発明はこれに限定されるものでない。例えば、各ＲＬＣエンティティ１２２が各自のＲＬＣバッファ１２１を有してもよい。この場合、各ＲＬＣバッファ１２１には、当該ＲＬＣエンティティ１２２に対応する基地局２００宛てのパケットが格納されることになる。
【００３８】  次に、図６を参照して、本発明の一実施例によるユーザ装置におけるアップリンクデータ送信処理を説明する。図６は、本発明の一実施例によるユーザ装置におけるアップリンクデータ送信処理を示すシーケンス図である。
【００３９】  図６に示されるように、ステップＳ１０１において、ＰＤＣＰレイヤ処理部１１０は、送信対象のアップリンクデータから、複数の基地局２００の各基地局２００に送信されるパケットシーケンスを生成する。一実施例では、ＰＤＣＰレイヤ処理部１１０は、上位レイヤから送信対象のＰＤＣＰ  ＳＤＵを受信し、受信したＰＤＣＰ  ＳＤＵをＰＤＣＰ  ＰＤＵに変換する。
【００４０】  ステップＳ１０２において、ＰＤＣＰレイヤ処理部１１０は、ＲＬＣレイヤ処理部１２０に生成されたパケットシーケンスを送信する。一実施例では、ＰＤＣＰレイヤ処理部１１０は、所定の分割比率に基づく分割（ベアラスプリット）などの所定の分割方法に従って、各ＰＤＣＰ  ＰＤＵをマスタ基地局２００Ａ又はセカンダリ基地局２００Ｂ宛てのパケットとしてＲＬＣレイヤ処理部１２０に送信する。例えば、当該分割比率は、マスタ基地局２００Ａから通知されてもよい。
【００４１】  ステップＳ１０３において、ＲＬＣレイヤ処理部１２０は、ステップＳ１０２において受信したパケットシーケンスの各パケットがＲＬＣバッファ１２１に格納されると、当該パケットの滞留時間を計時するＲＬＣ破棄タイマ（ＲＬＣ  Ｄｉｓｃａｒｄ  Ｔｉｍｅｒ）を起動する。
【００４２】  ステップＳ１０４において、ＲＬＣレイヤ処理部１２０は、ＲＬＣバッファ１２１に格納されたパケットを送信先の基地局２００に送信する。一実施例では、ＲＬＣレイヤ処理部１２０は、送信先の基地局２００により送信用の無線リソース又はトランスポートブロック（ＴＢ）が割り当てられると、ＲＬＣバッファ１２１から基地局２００宛てのＰＤＣＰ  ＰＤＵを抽出し、抽出したＰＤＣＰ  ＰＤＵをＲＬＣ  ＰＤＵに変換する。その後、ＲＬＣレイヤ処理部１２０は、生成したＲＬＣ  ＰＤＵを割り当てられた無線リソース又はトランスポートブロックにマッピングすることによって基地局２００に送信する。
【００４３】  ステップＳ１０５において、ＲＬＣレイヤ処理部１２０は、ＲＬＣ破棄タイマが満了した滞留パケットをＲＬＣバッファ１２１において検出する。例えば、通信品質の劣化などによりＲＬＣレイヤ処理部１２０から基地局２００へのパケットの送信が滞ると、ＲＬＣレイヤ処理部１２０は、当該基地局２００による送信用の無線リソース又はトランスポートブロックの割り当てが遅延し、ＲＬＣ  ＰＤＵの生成が遅延又は停止されることになる。この結果、ＲＬＣバッファ１２１に格納されたＰＤＣＰ  ＰＤＵが滞留することになり、アップリンクデータの送信が遅延することになる。このような送信遅延を管理するため、ＲＬＣレイヤ処理部１２０は、ＲＬＣ破棄タイマを用いて、所定の時間滞留したＰＤＣＰ  ＰＤＵを検出する。
【００４４】  ステップＳ１０６において、ＲＬＣレイヤ処理部１２０は、滞留パケットをＲＬＣバッファ１２１から破棄する。一実施例では、ＲＬＣレイヤ処理部１２０は、ＲＬＣ破棄タイマが満了したＰＤＣＰ  ＰＤＵを滞留パケットと判断し、当該ＰＤＣＰ  ＰＤＵをＲＬＣバッファ１２１から破棄する。
【００４５】  ステップＳ１０７において、ＲＬＣレイヤ処理部１２０は、検出した滞留パケットを他の基地局２００宛てのパケットとして再送するようＰＤＣＰレイヤ処理部１１０に通知する。例えば、セカンダリ基地局２００Ｂへの送信が滞り、ＲＬＣバッファ１２１においてセカンダリ基地局２００Ｂ宛ての滞留パケットが検出された場合、ＲＬＣレイヤ処理部１２０は、当該滞留パケットをマスタ基地局２００Ａを介し送信するため、当該滞留パケットをマスタ基地局２００Ａ宛てのパケットとして再送するようＰＤＣＰレイヤ処理部１１０に通知する。
【００４６】  ステップＳ１０８において、ＰＤＣＰレイヤ処理部１１０は、通知された滞留パケットを他の基地局２００宛てのパケットとしてＲＬＣレイヤ処理部１２０に再送する。上述した例では、ＰＤＣＰレイヤ処理部１１０は、ＲＬＣレイヤ処理部１２０により通知された滞留パケットをマスタ基地局２００Ａ宛てのパケットとして再送する。
【００４７】  ステップＳ１０９において、ＲＬＣレイヤ処理部１２０は、再送された滞留パケットを他の基地局２００に対応するＲＬＣエンティティ１２２から送信する。上述した例では、ＲＬＣレイヤ処理部１２０は、ＰＤＣＰレイヤ処理部１１０から再送された滞留パケットをマスタ基地局２００Ａに対応するＲＬＣエンティティ１２２＿１から送信する。
【００４８】  以上、本発明の実施例について詳述したが、本発明は上述した特定の実施形態に限定されるものではなく、特許請求の範囲に記載された本発明の要旨の範囲内において、種々の変形・変更が可能である。
【００４９】  本国際出願は、２０１４年３月１９日に出願した日本国特許出願２０１４−０５６８２０号に基づく優先権を主張するものであり、２０１４−０５６８２０号の全内容を本国際出願に援用する。
【符号の説明】
【００５０】１０  無線通信システム１００  ユーザ装置２００Ａ，２００Ｂ  基地局
【図１】
2015141478.tif 000003
【図２】
2015141478.tif 000004
【図３】
2015141478.tif 000005
【図４】
2015141478.tif 000006
【図５】
2015141478.tif 000007
【図６】
2015141478.tif 000008
【国際調査報告】
2015141478.tif 000009
2015141478.tif 000010
2015141478.tif 000011
2015141478.tif 000012